(57)【特許請求の範囲】
【請求項１】
電子部品から突出する複数本の各リード端子が一体に繋がるタイバーのうち相隣接して並ぶ少なくとも３本の各リード端子が繋がる部分を，この少なくとも３本の各リード端子ごとに当該リード端子の幅寸法より広幅寸法にしたタイバー片を残すように分断する一方，前記タイバーのうち前記少なくとも３本の各リード端子を除くその他のリード端子が繋がる部分を，当該他のリード端子の長さを短くするように切断にて切除し，前記少なくとも３本の各リード端子のうちタイバー片の部分を，台紙テープとこれに貼着される押さえテープとで挟持して成るテーピング電子部品において，
前記少なくとも３本のリード端子のうち外側に位置する両リード端子におけるタイバー片を広い幅寸法に，前記少なくとも３本のリード端子のうち外側に位置する両リード端子よりも内側に位置するリード端子におけるタイバー片を狭い幅寸法に各々構成する一方，前記少なくとも３本のリード端子のうち外側に位置する両リード端子におけるタイバー片を，当該タイバー片におけるリード端子に対して外側に，当該タイバー片における左右両側面の両方のいずれもがその各々のリード端子における左右両側面より突出する形状を維持する範囲内において偏芯した形状にし，更に，前記外側に位置する両リード端子におけるタイバー片の左右両側面に，前記タイバーに穿設されている送り孔の一部が位置するように構成することを特徴とするテーピング電子部品。
【発明の詳細な説明】
【０００１】
【産業上の利用分野】
本発明は，ハイブリッド集積回路等の電子部品を，フープ状のテープに，その長手方向に沿って適宜ピッチの間隔でテーピング（装着）して成るテーピング電子部品に関するものである。
【０００２】
【従来の技術】
一般に，例えば，ハイブリッド集積回路のように複数本のリード端子を備えた電子部品においては，フープ状のテープに，その長手方向に沿って適宜ピッチの間隔でテーピング（装着）し，このテーピングされた電子部品を，当該電子部品をプリント基板等に自動装填するための自動装填装置に供給することが行われている。
【０００３】
また，前記リード端子付き電子部品のフープ状テープに対するテーピングは，電子部品における一側面から突出する複数本のリード端子のうち，相隣接する一部数本のリード端子の先端部を，送り孔を備えた広幅テープと，これに貼着される狭幅の押さえテープとで挟持することによって行なわれる。
【０００４】
ところで，前記したハイブリッド集積回路のように複数本のリード端子を備えた電子部品は，図１に示すように，各電子部品１における複数本のリード端子２を，適宜ピッチ間隔の送り孔４′を有するタイバー４から一体的に造形して成るフープ状のリードフレーム３を使用し，このリードフレーム３をその長手方向に移送しながら製造されるものである。
【０００５】
そこで，このようにリードフレーム３を使用して製造される電子部品１は，図２に示すように，リードフレーム３におけるタイバー４のうち，電子部品１における各リード端子２のうち相隣接する少なくとも３本のリード端子２が繋がる部分を，当該少なくとも３本の各リード端子２ごとにタイバー片４ａを残すように分断して，この各タイバー片４ａをリード端子２の幅寸法より広幅寸法にする一方，前記タイバー４のうち前記少なくもと３本の各リード端子を除くその他のリード端子２が繋がる部分を，当該他のリード端子２を短くするように切断にて切除したのち，前記少なくとも３本のリード端子２のうちこれに残したタイバー片４ａの部分を，送り孔５ａを備えた台紙テープ５と，これに貼着される狭幅の押さえテープ６とで挟持することによってテーピングするようにしている。
【０００６】
【発明が解決しようとする課題】
しかし，このように，電子部品１における各リード端子２のうち相隣接する少なくとも３本のリード端子２に残したタイバー片４ａの部分を，台紙テープ５と押さえテープ６にてテーピングするに際しては，以下に述べるような問題があった。
【０００７】
すなわち，前記少なくとも３本のリード端子２において，その各タイバー片４ａにおける幅寸法を，図２に示すように，Ｗ1 に大きくした場合には，当該各タイバー片４ａに対する押さえテープ６の接着面積をアップすることができるものの，各タイバー片４ａの相互間における隙間が狭くなることにより，この隙間の部分において前記押さえテープ６が台紙テープ５から浮き上がることになるから，電子部品のテーピング強度が低下することになる。
【０００８】
また，前記各タイバー片４ａにおける幅寸法を，図３に示すように，Ｗ2 に小さくした場合には，各タイバー片４ａの相互間における隙間が広くなることにより，当該隙間の部分における押さえテープ６の浮き上がりを回避できるものの，この各タイバー片４ａに対する押さえテープ６の接着面積が減少するから，電子部品のテーピング強度が低下することになるのであった。
【０００９】
本発明は，この問題を解消したテーピング電子部品を提供することを技術的課題とするものである。
【００１０】
【課題を解決するための手段】
この技術的課題を達成するため本発明は，
「電子部品から突出する複数本の各リード端子が一体に繋がるタイバーのうち相隣接して並ぶ少なくとも３本の各リード端子が繋がる部分を，この少なくとも３本の各リード端子ごとに当該リード端子の幅寸法より広幅寸法にしたタイバー片を残すように分断する一方，前記タイバーのうち前記少なくとも３本の各リード端子を除くその他のリード端子が繋がる部分を，当該他のリード端子の長さを短くするように切断にて切除し，前記少なくとも３本の各リード端子のうちタイバー片の部分を，台紙テープとこれに貼着される押さえテープとで挟持して成るテーピング電子部品において，
前記少なくとも３本のリード端子のうち外側に位置する両リード端子におけるタイバー片を広い幅寸法に，前記少なくとも３本のリード端子のうち外側に位置する両リード端子よりも内側に位置するリード端子におけるタイバー片を狭い幅寸法に各々構成する一方，前記少なくとも３本のリード端子のうち外側に位置する両リード端子におけるタイバー片を，当該タイバー片におけるリード端子に対して外側に，当該タイバー片における左右両側面の両方のいずれもがその各々のリード端子における左右両側面より突出する形状を維持する範囲内において偏芯した形状にし，更に，前記外側に位置する両リード端子におけるタイバー片の左右両側面に，前記タイバーに穿設されている送り孔の一部が位置するように構成する。」
と言う構成にした。
【００１１】
【作    用】
このように，相隣接して並ぶ少なくとも３本のリード端子のうち外側に位置する両リード端子におけるタイバー片を広い幅寸法に，前記少なくとも３本のリード端子のうち外側に位置する両リード端子よりも内側に位置するリード端子におけるタイバー片を狭い幅寸法に各々構成する一方，前記少なくとも３本のリード端子のうち外側に位置する両リード端子におけるタイバー片を，当該タイバー片におけるリード端子に対して外側に偏芯した形状にすることにより，外側に位置する両リード端子のタイバー片における幅寸法を大きくし，且つ，内側に位置するリード端子にタイバー片を備えた状態で，各タイバー片の相互間の隙間を広くすることができるから，押さえテープの各タイバー片に対する充分な接着面積を確保できると共に，各タイバー片間の隙間において前記押さえテープが台紙テープから浮き上がることを確実に防止できるのである。
【００１２】
【発明の効果】
従って，本発明によると，電子部品のテーピングに際して，このテーピングの強度を，大幅にアップすることができる効果を有する。
【００１３】
【実施例】
以下，本発明の実施例を，図面について説明する。
【００１４】
すなわち，図４〜図６に示すように，図１のリードフレーム３において，電子部品１から突出する複数本（５本）のリード端子２ａ，２ｂ，２ｃ，２ｄ，２ｅが繋がるタイバー４のうち，前記各リード端子２ａ，２ｂ，２ｃ，２ｄ，２ｅのうち互いに相隣接して並ぶ３本のリード端子２ａ，２ｂ，２ｃが繋がる部分を，当該３本のリード端子２ａ，２ｂ，２ｃごとにタイバー片４ａ′，４ａ″を残すように分断して，この各タイバー片４ａ′，４ａ″をリード端子の幅寸法より広幅寸法にする一方，前記タイバー４のうち前記３本の各リード端子２ａ，２ｂ，２ｃを除くその他のリード端子２ｄ，２ｅが繋がる部分を，当該他のリード端子２ｄ，２ｅを短くするように切断にて切除する。
【００１５】
そして，前記３本のリード端子２ａ，２ｂ，２ｃのうちその先端部に残したタイバー片４ａ′，４ａ″の部分を，送り孔５ａを備えた台紙テープ５と，これに貼着される狭幅の押さえテープ６とで挟持することによってテーピングするのである。
【００１６】
この場合において，前記３本のリード端子２ａ，２ｂ，２ｃのうち中央の第２リード端子２ｂにおけるタイバー片４ａ″を，狭い幅寸法Ｗ″にする一方，この第２リード端子２ｂの外側に位置する第１リード端子２ａ及び第３リード端子２ｃにおけるタイバー片４ａ′を，広い幅寸法Ｗ′にして，この両タイバー片４ａ′を，その各々におけるリード端子２ａ，２ｃに対して外側に，当該タイバー片４ａ′における左右両側面４ａｏの両方のいずれもが前記リード端子２ａ，２ｃにおける左右両側面２ａ′，２ｃ′より突出する形状を維持する範囲内において偏芯した形状にし，更に，前記第１リード端子２ａ及び第３リード端子２ｃにおけるタイバー片４ａ′の左右両側面４ａｏの両方に，前記タイバー４に穿設されている送り孔４′の一部が位置するように構成するのである。
【００１７】
このように，相隣接して並ぶ３本のリード端子２ａ，２ｂ，２ｃのうち中央の第２リード端子２ｂに狭い幅寸法Ｗ″のタイバー片４ａ″を残す一方，前記３本のリード端子２ａ，２ｂ，２ｃのうち外側の第１及び第３リード端子２ａ，２ｃにおけるタイバー片４ａ′を，広い幅寸法Ｗ′にして，これを，その各々におけるリード端子２ａ，２ｃに対して外側に偏芯した形状にすることにより，外側に位置する第１及び第３リード端子２ａ，２ｃのタイバー片４ａ′における幅寸法Ｗ′を，大きくし，且つ，中央の第２リード端子２ｂにタイバー片４ａ″を設けた状態で，当該両タイバー４ａ′と中央のリード端子２ｂにおけるタイバー片４ａ″との間の隙間を広くすることができるから，押さえテープ６の両タイバー片４ａ′に対する充分な接着面積を確保できると共に，各タイバー片４ａ′，４ａ″の相互間の隙間において前記押さえテープ６を広幅テープ５に対して確実に貼着することができて，押さえテープ６の各タイバー片４ａ′，４ａ″の相互間での浮き上がりを防止でき，その結果，電子部品１のテープ５，６に対するテーピング強度をアップすることができるのである。
【００１８】
なお，台紙テープ５と押さえテープ６とによるテーピングに際して，押さえテープ６の上端縁６ａが，各タイバー片４ａ′，４ａ″の上端縁より適宜寸法Ｈだけ被さるようにすることにより，電子部品１のテーピング強度を更にアップすることができるのである。
【００１９】
なお，前記実施例は，電子部品における複数本のリード端子２ａ，２ｂ，２ｃ，２ｄ，２ｅのうち，互いに相隣接して並ぶ３本のリード端子２ａ，２ｂ，２ｃにタイバー片４ａ′，４ａ″を残してテーピングする場合を示したが，本発明は，これに限らず，図７に示すように，複数本のリード端子２ａ，２ｂ，２ｃ，２ｄ，２ｅのうち，互いに相隣接して並ぶ４本のリード端子２ａ，２ｂ，２ｃ，２ｄによってテーピングする場合にも同様に適用できることは言うまでもない。
なお，この図７の場合には，前記４本のリード端子２ａ，２ｂ，２ｃ，２ｄのうち外側に位置する第１リード端子２ａ及び第４リード端子におけるタイバー片４ａ′を広い幅寸法Ｗ′にして，この両タイバー片４ａ′を，その各々におけるリード端子２ａ，２ｄに対して外側に，当該タイバー片４ａ′における左右両側面４ａｏの両方のいずれもが前記第１及び第４リード端子２ａ，２ｄにおける左右両側面２ａ′，２ｄ′より突出する形状を維持する範囲内において偏芯した形状にし，更に，前記第１リード端子２ａ及び第４リード端子におけるタイバー片４ａ′の左右両側面４ａｏの両方に，前記タイバー４に穿設されている送り孔４′の一部が位置するように構成する。
【図面の簡単な説明】
【図１】  電子部品の製造用リードフレームの斜視図である。
【図２】  本発明に至る以前のものを示す図である。
【図３】  本発明に至る以前のものを示す図である。
【図４】  本発明の実施例を示す斜視図である。
【図５】  図４の正面図である。
【図６】  図５のVI−VI視断面図である。
【図７】  本発明による別の実施例を示す正面図である。
【符号の説明】
１                電子部品
２ａ，２ｂ，２ｃ，２ｄ，２ｅ    リード端子
３                              リードフレーム
２ａ′，２ｃ′，２ｄ′          リード端子の側面
４ａ′，４ａ″                  タイバー片
４ａｏ                          タイバー片の側面
５                              台紙テープ
６                              押さえテープ
【図１】
0003687102.tif 000002
【図２】
0003687102.tif 000003
【図３】
0003687102.tif 000004
【図４】
0003687102.tif 000005
【図５】
0003687102.tif 000006
【図６】
0003687102.tif 000007
【図７】
0003687102.tif 000008